(57)【要約】本発明は、頭付きボルトのためのホルダであって、該頭付きボルトのシャフト（５）が組み付けプレート（１）の孔（３）内に挿入されている形式のものに関する。頭付きボルト（４）を紛失することなし、またそれと同時に回転可能に組み付けプレート（１）上で保持するために、ボルト（４）の頭（７）が２つの脚によって把持されており、これら２つの脚のうちの第１の脚（１０）はボルト軸線に対して平行になるように上方に折り曲げられていて、第２の脚（１１）はボルトの頭（７）の上側に密接して組み付けプレート（１）に対して平行になるように戻し折り曲げられている。第２の脚（１１）と組み付けプレート（１１）との間の間隔（ａ）は、ボルト（４）が孔（３）から出ないように寸法設計されている。このような配置によって、孔（３）内に挿入されたボルト（４）は、常に回転準備状態で保持されるので、組み付けプレート（１）に堅固に結合された固定部材（２）は、ナット（１４）によっていつでも迅速かつ簡単に、支持プレーと（１２）上にしっかりとねじ固定されるようになっている。
2004510925.tif 000002
【特許請求の範囲】
【請求項１】
頭付きボルトのためのホルダであって、該頭付きボルトのシャフト（５）が組み付けプレート（１）の孔（３）内に挿入されている形式のものにおいて、
組み付けプレート（１）に脚（１０）が一体成形されていて、該脚（１０）が、前記孔（３）内に挿入しようとする頭付きボルト（４）の軸に対して平行になるように上方に折り曲げられており、挿入された頭付きボルトの頭（６，７）の上側に密接して別の脚（１１）が前記組み付けプレート（１）に一体成形されていて、組み付けプレート（１）に対して平行になるように戻し折り曲げられていることを特徴とする、頭付きボルトのためのホルダ。
【請求項２】
円筒形頭（７）上に戻し折り曲げられた脚（１１）に、円筒形頭（７）の軸方向延長部で切欠（１５）が設けられている、請求項１記載の頭付きボルト、特に円筒形頭付きボルトのためのホルダ。
【請求項３】
組み付けプレート（１）の、戻し折り曲げられた脚（１１）が、円筒形頭付きボルト（４）の全長（ｌ）よりも少なくとも１ねじピッチ（ｓ）だけ小さい間隔（ａ）を有している、請求項２記載の頭付きボルトのためのホルダ。
【請求項４】
戻し折り曲げられた脚（１１）に、円筒形頭（７）の両側において２つの保持舌片（１６）が一体成形されていて、円筒形頭（７）の円筒形壁（１７）に対して平行に折り曲げられており、前記保持舌片（１６）が組み付けプレート（１）から、円筒形頭（７）の高さ（ｋ）よりも少なくともやや小さい高さ（ｈ）で終わっている、請求項３記載の頭付きボルトのためのホルダ。
【請求項５】
保持舌片（１６）が円筒形頭（７）に対して同心的に成形されている、請求項４記載の頭付きボルトのためのホルダ。
【発明の詳細な説明】
【０００１】
本発明は、ねじ山を備えた頭付きボルト（Ｋｏｐｆｓｃｈｒａｕｂｅｎ）のためのホルダであって、該頭付きボルトのシャフトが組み付けプレートの孔内に挿入されている形式のものに関する。組み付けプレートは一般的な形式で、固定部材と一体的に結合されており、この固定部材は、ボルトを用いて支持プレート上に固定される。
【０００２】
このような形式のホルダは、ドイツ連邦共和国特許第１２２０６７４号明細書により公知であって、多角形の頭付きボルトを保持するために用いられ、この場合、６角面は、それぞれ逆向きの側が保持舌片によって把持され、紛失しないように保持されている。このホルダは、ボルトをねじ込むために設けられているものではなく、またそのために適しているものでもない。何故ならばこのホルダは、ボルトシャフトを支持プレーとの孔内に固定するためだけに用いられるものだからである。
【０００３】
本発明の課題は、前記のようなホルダを改良して、ボルトを紛失することなしに、かつ回転可能に保持することができ、しかも組み付けプレートの孔内でボルトをセンタリングすることが保証されるように構成することである。
【０００４】
本発明によればこの課題は、組み付けプレートに脚が一体成形されていて、該脚が、前記孔内に挿入しようとする頭付きボルトの軸に対して平行になるように上方に折り曲げられており、挿入された頭付きボルトの頭の上側に密接して別の脚が前記組み付けプレートに一体成形されていて、組み付けプレートに対して平行になるように戻し折り曲げられていることによって解決された。
【０００５】
このホルダは、基本的に、６角頭ボルトを回転可能に保持するか若しくは挿入するためにも適しているが、有利には円筒形頭付きボルトを保持するために使用される。この場合、円筒形頭上に戻し折り曲げられた脚に、円筒形頭の軸方向延長部で、係合孔内にねじ回しを導入するために相応の切欠を設ける必要がある。
【０００６】
この実施態様によれば、ボルトが、適合したねじ回しによって作業を中断することなし１回の工程でねじ回すことができるという利点が提供される。これに対して６角頭付きボルトにおいては、妨害となる脚が存在するために、外部から係合するスパナ又はレンチを１回小さく回転させた後で再び新たに当てつける必要がある。
【０００７】
請求項３に記載した実施態様によれば、一度挿入されたボルトはそのシャフトが組み付けプレートの孔から突き出し、それによって常にねじ込み準備された維持で保持されるようになっている。さらに、ボルトの頭は上側の脚に当接するまで問題なしに後退することができ、これによってねじ山付きシャフトは、ホルダの提供状態で、ねじ山付きシャフトが挿入箇所で固定孔上の位置に達し、孔内に落ち込むことができるまで、沈み込んだ位置で保たれる。
【０００８】
請求項４に従って保持舌片を構成し、特に請求項５に従って、ホルダ内で円筒形頭を軸方向で良好にガイドすることができるので、ボルトシャフトは、ボルトがねじ込まれる際に、同時に、ねじ込むために設けられたナットの、ボルトの下に存在するねじ山に対して正しい位置及び軸方向での整列を有する。
【０００９】
本発明の特徴及び構成を、以下に図面に示した２つの実施例を用いて詳しく説明する。
【００１０】
図１は、固定部材を備えた円筒形頭ねじのためのホルダ及び挿入された円筒形頭の側面図、
図２は、同じホルダの正面図、
図３は、同じホルダの平面図、
図４は、同じホルダの斜視図、
図５は、同じホルダの組み付けた状態の、図３のＶ−Ｖ線に沿った断面図、
図６は、別の固定部材及び挿入された６角頭付きボルトを有するホルダの組み付けた状態の断面図である。
【００１１】
図面に示された、頭付きボルト用のホルダは、一般的に構造部材又は機能部材を支持プレート上に固定するために使用される。このために組み付けプレート１が適当な固定部材に堅固に結合され、頭付きボルト４のシャフト５を導入するための孔３を備えている。
【００１２】
図６に示した本発明の一般的な実施例においては、組み付けプレート１の一方側に、管路又はケーブル電線を緊締するために規定されたクランプ９を備えたウエブ８が一体成形されている。
【００１３】
組み付けプレート１には、孔３の他方側に脚１０が一体成形されていて、組み付けプレート１の孔３内に挿入されたボルト４の軸に対して平行になるように上方に折り曲げられている。この脚１０に、挿入されたボルトの頭６の上側に密接して別の脚１１が一体成形されていて、組み付けプレート１に対して平行になるように戻し折り曲げられている。組み付けプレート１と、孔３内に挿入された頭付きボルト４とを備えた完全な固定部材は、ナット１４によって支持プレーと１２上に堅固にねじ固定され、この支持プレート１２は、ボルトシャフト５を受容するための相応の固定孔１３を備えている。
【００１４】
図１から図５に示された、円筒形ボルトのホルダの有利な実施例においては、組み付けプレート１が、図６の実施例と同様に、一方側で２つのクランプ脚２を備えたウエブ８を介して２つクランプ脚２に接続されており、これらのクランプ脚２は、例えばケーブル通路等の方形横断面を有する構成部材を受容するために構成されている。反対側で、組み付けプレート１は、折り曲げられた脚１０と、円筒形頭７を越えて戻し折り曲げられた脚１１とを備えており、この場合、脚１１は、ねじ回しを円筒形頭７の係合孔１８内に導入するための切欠１５を、円筒形頭７の軸方向の延長部に備えている。この場合、係合孔１８は、６角孔より成っているか、又は適当な力伝達成形材を有している。
【００１５】
戻し折り曲げられた脚１１は、少なくとも組み付けプレート１からシャフト５のねじピッチ「ｓ」だけ、頭付きねじ４の全長「ｌ」よりも小さい間隔「ａ」を保っている。しかもこの脚１１にはボルトの頭７の両側に２つの保持舌片１６が一体成形されていて、ボルトの頭７の円筒形壁１７に対して平行になるように折り曲げられている。この場合、保持舌片１６は、円筒形頭７の高さ「ｋ」よりも少なくともやや小さい高さ「ｈ」だけ組み付けプレート１を越えた位置で終わっている。円筒形頭７を良好にガイドするために、保持舌片１６は有利には円筒形頭７の壁部１７に対して同心的に成形されている。
【図面の簡単な説明】
【図１】
固定部材を備えた円筒形頭ねじのためのホルダ及び挿入された円筒形頭の側面図である。
【図２】
同じホルダの正面図である。
【図３】
同じホルダの平面図である。
【図４】
同じホルダの斜視図である。
【図５】
同じホルダの組み付けた状態の、図３のＶ−Ｖ線に沿った断面図である。
【図６】
別の固定部材及び挿入された６角頭付きボルトを有するホルダの組み付けた状態の断面図である。
【符号の説明】
１　組み付けプレート
２　固定部材
３　孔
４　頭付きボルト
５　シャフト
６　６角頭
７　円筒形頭
８　ウエブ
９　クランプ
１０　脚
１１　脚
１２　支持プレート
１３　固定孔
１４　ナット
１５　切欠
１６　保持舌片
１７　円筒形壁部
１８　係合孔
【国際公開パンフレット】
2004510925.tif 000003
2004510925.tif 000004
2004510925.tif 000005
2004510925.tif 000006
2004510925.tif 000007
2004510925.tif 000008
2004510925.tif 000009
2004510925.tif 000010
【手続補正書】
【提出日】平成13年10月2日(2001.10.2)
【手続補正１】
【補正対象書類名】明細書
【補正対象項目名】全文
【補正方法】変更
【補正の内容】
【発明の詳細な説明】
【書類名】明細書
【発明の名称】頭付きボルトを紛失しないように保持するための保持部材
【特許請求の範囲】
【請求項１】頭付きボルトを紛失しないように保持するための保持部材であって、該頭付きボルトのシャフト（５）が保持プレート（１）の孔（３）内に回転可能に挿入されており、この際に保持プレート（１）に一体成形された脚（１０）が、ボルト軸に対して平行になるように上方に折り曲げられていて、ボルトの頭（６，７）の上側に別の脚（１１）が保持プレート（１）に対して平行になるように戻し折り曲げられている形式のものにおいて、
戻し折り曲げられた脚（１１）が保持プレート（１）から、少なくとも１ねじピッチ（ｓ）だけ円筒形頭付きボルト（４）の全長（ｌ）よりも小さい間隔（ａ）を有していることを特徴とする、頭付きボルトを紛失しなように保持するための保持部材。
【請求項２】戻し折り曲げられた脚（１１）に、円筒形頭（７）の両側において２つの保持舌片（１６）が一体成形されていて、円筒形頭（７）の円筒形壁（１７）に対して平行に折り曲げられており、前記保持舌片（１６）が保持プレート（１）から、円筒形頭（７）の高さ（ｋ）よりも少なくともやや小さい高さ（ｈ）で終わっている、請求項１記載の頭付きボルトのための保持部材。
【請求項３】保持舌片（１６）が円筒形頭（７）に対して同心的に成形されている、請求項２記載の頭付きボルトのための保持部材。
【発明の詳細な説明】
【０００１】
本発明は、ねじ山を備えた頭付きボルト（Ｋｏｐｆｓｃｈｒａｕｂｅｎ）を紛失しように保持するための保持部材であって、該頭付きボルトのシャフトが保持プレートの孔内に挿入されている形式のものに関する。保持プレートは一般的な形式で、固定部材と一体的に結合されており、この固定部材は、ボルトを用いて支持プレート上に固定される。
【０００２】
アメリカ合衆国特許第２７４８９０６号明細書によれば、このような保持部材。つまり多角形頭付きボルトを保持するための保持部材は公知である。この場合、保持プレートに一体成形された脚はボルト軸に対して平行になるように上方に折り曲げられ、ボルトの頭の上側に２つの別の脚が保持プレートに対して平行になるように戻し折り曲げられている。この保持部材はボルトを紛失しないように保持するために設けられているものでもなければ、そのために適しているものでもない。何故ならば、この保持部材は、シャフトが前もって支持プレートの固定孔内に導入された後で、ボルトシャフトを支持プレートの孔内で、ボルトの頭上に保持部材を側方から被せるようにすることによって保持することだけを目的としているからである。
【０００３】
本発明の課題は、前記のような保持部材を改良して、頭付きボルトをこの保持部材によって回転可能にしかも紛失しないように保持することができ、それも、保持部材が支持プレート上に載せられた時に、準備されたボルトによって、設けられている組み付け孔内で迅速かつ簡単にねじ固定できるようにすることである。
【０００４】
この課題は本発明によれば、戻し折り曲げられた脚が保持プレートから、少なくとも１ねじピッチだけ円筒形頭付きボルトの全長よりも小さい間隔を有していることによって、解決された。保持部材を本発明に従って構成したことによって、一度挿入されたボルトはそのシャフトが、保持プレートの孔から抜け出ることはなく、それによって常にねじ込み準備状態で保持されるようになっている。しかも、頭付きボルトは、上側の脚に当接するまで問題なしに後退することができ、これによってねじ山付きシャフトは保持部材の提供された状態で、挿入位置においてねじ山付きシャフトが固定孔の上の位置に達して、孔内に落ち込むまで、沈み込んだ位置で保持される。
【０００５】
この保持部材は、基本的に、６角頭ボルトを紛失しないように保持するために適しているが、有利には円筒形頭付きボルトを保持するために使用される。この場合、円筒形頭上に戻し折り曲げられた脚に、円筒形頭の軸方向延長部で、係合孔内にねじ回しを導入するために相応の切欠を設ける必要がある。
【０００６】
この実施態様によれば、ボルトが、適合したねじ回しによって作業を中断することなし１回の工程でねじ回すことができるという利点が得られる。これに対して６角頭付きボルトにおいては、妨害となる脚が存在するために、外部から係合するスパナ又はレンチを１回小さく回転させた後で再び新たに当てつける必要がある。
【０００７】
請求項２に従って保持舌片を構成し、特に請求項３に従って、保持部材内で円筒形頭を軸方向で良好にガイドすることができるので、ボルトシャフトは、ボルトがねじ込まれる際に、同時に、ねじ込むために設けられたナットの、ボルトの下に存在するねじ山に対して正しい位置及び軸方向での整列を有する。
【０００８】
本発明の特徴及び構成を、以下に図面に示した２つの実施例を用いて詳しく説明する。
【０００９】
図１は、固定部材を備えた円筒形頭ねじのための保持部材及び挿入された円筒形頭の側面図、
図２は、同じ保持部材の正面図、
図３は、同じ保持部材の平面図、
図４は、同じ保持部材の斜視図、
図５は、同じ保持部材の組み付けた状態の、図３のＶ−Ｖ線に沿った断面図、
図６は、別の固定部材及び挿入された６角頭付きボルトを有する保持部材の組み付けた状態の断面図である。
【００１０】
図面に示された、頭付きボルト用の保持部材は、一般的に構造部材又は機能部材を支持プレート上に固定するために使用される。このために保持プレート１が適当な固定部材に堅固に結合され、頭付きボルト４のシャフト５を導入するための孔３を備えている。
【００１１】
図６に示した本発明の一般的な実施例においては、保持プレート１の一方側に、管路又はケーブル電線を緊締するために規定されたクランプ９を備えたウエブ８が一体成形されている。
【００１２】
孔３の他方側に脚１０が一体成形されていて、保持プレート１の孔３内に挿入されたボルト４の軸に対して平行になるように上方に折り曲げられている。この脚１０に、挿入されたボルトの頭６の上側に密接して別の脚１１が一体成形されていて、保持プレート１に対して平行になるように戻し折り曲げられている。保持プレート１と、孔３内に挿入された頭付きボルト４とを備えた完全な固定部材は、ナット１４によって支持プレーと１２上に堅固にねじ固定され、この支持プレート１２は、ボルトシャフト５を受容するための相応の固定孔１３を備えている。
【００１３】
図１から図５に示された、円筒形ボルトの保持部材の有利な実施例においては、保持プレート１が、図６の実施例と同様に、一方側で２つのクランプ脚２を備えたウエブ８を介して２つクランプ脚２に接続されており、これらのクランプ脚２は、例えばケーブル通路等の方形横断面を有する構成部材を受容するために構成されている。反対側で、保持プレート１は、折り曲げられた脚１０と、円筒形頭７を越えて戻し折り曲げられた脚１１とを備えており、この場合、脚１１は、ねじ回しを円筒形頭７の係合孔１８内に導入するための切欠１５を、円筒形頭７の軸方向の延長部に備えている。この場合、係合孔１８は、６角孔より成っているか、又は適当な力伝達成形材を有している。
【００１４】
戻し折り曲げられた脚１１は、少なくとも保持プレート１からシャフト５のねじピッチ「ｓ」だけ、頭付きねじ４の全長「ｌ」よりも小さい間隔「ａ」を保っている。しかもこの脚１１にはボルトの頭７の両側に２つの保持舌片１６が一体成形されていて、ボルトの頭７の円筒形壁１７に対して平行になるように折り曲げられている。この場合、保持舌片１６は、円筒形頭７の高さ「ｋ」よりも少なくともやや小さい高さ「ｈ」だけ保持プレート１を越えた位置で終わっている。円筒形頭７を良好にガイドするために、保持舌片１６は有利には円筒形頭７の壁部１７に対して同心的に成形されている。
【図面の簡単な説明】
【図１】
固定部材を備えた円筒形頭ねじのための保持部材及び挿入された円筒形頭の側面図である。
【図２】
同じ保持部材の正面図である。
【図３】
同じ保持部材の平面図である。
【図４】
同じ保持部材の斜視図である。
【図５】
同じ保持部材の組み付けた状態の、図３のＶ−Ｖ線に沿った断面図である。
【図６】
別の固定部材及び挿入された６角頭付きボルトを有する保持部材の組み付けた状態の断面図である。
【符号の説明】
１　保持プレート
２　固定部材
３　孔
４　頭付きボルト
５　シャフト
６　６角頭
７　円筒形頭
８　ウエブ
９　クランプ
１０　脚
１１　脚
１２　支持プレート
１３　固定孔
１４　ナット
１５　切欠
１６　保持舌片
１７　円筒形壁部
１８　係合孔
【国際調査報告】
2004510925.tif 000011
2004510925.tif 000012
2004510925.tif 000013
2004510925.tif 000014